【事件の表示】
　特許第３１４７０５１号「水栓取付用の台座部材及び水栓取付構造」の請求項１ないし６に係る特許に対する特許異議の申立てについて、次のとおり決定する。
【結　論】
　訂正を認める。
　特許第３１４７０５１号の請求項１ないし２に係る特許を維持する。
【理　由】
１．手続の経緯
　本件特許第３１４７０５１号に係る出願は、平成９年１０月１６日の出願であって、平成１３年１月１２日に特許の設定登録がなされ、その後、東陶機器株式会社から特許異議の申立がなされ、取消理由が通知され、その指定期間内である平成１４年１月３０日に訂正請求がなされたが、訂正拒絶理由を兼ねた取消理由が再度通知され、その指定期間内である平成１４年５月２日に訂正請求がなされるとともに、平成１４年１月３０日付けの訂正請求は取り下げられ、訂正拒絶理由通知が通知され、これに対する意見書が提出されたものである。
　
２．訂正の要旨
　訂正事項ａ：特許請求の範囲の減縮を目的として、特許請求の範囲の請求項１、請求項２、請求項３、請求項４を削除する。
　訂正事項ｂ：特許請求の範囲の請求項５を、独立形式で記載するとともに、下記のように訂正する。
【請求項１】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする水栓取付構造。
　訂正事項ｃ：特許請求の範囲の請求項６を、独立形式で記載するとともに、下記のように訂正する。
【請求項２】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする水栓取付構造。
　訂正事項ｄ：特許請求の範囲の請求項７を、独立形式で記載するとともに、下記のように訂正する。
【請求項３】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ａが付されていることを特徴とする水栓取付構造。
　訂正事項ｅ：特許請求の範囲の請求項８を、独立形式で記載するとともに、下記のように訂正する。
【請求項４】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ｂが付されていることを特徴とする水栓取付構造。
　訂正事項ｆ：【発明の名称】を、「水栓取付構造」に訂正する。
　訂正事項ｇ：明細書の段落【０００１】の【発明の属する技術分野】の記載を、次のように訂正する。
　本発明はカウンター等の水栓設置板に水栓を取り付けた水栓取付構造に関する。詳しくは、本発明は、カウンターに固定した台座部材によって水栓をカウンターに上方からの作業で容易にしかも堅固に取り付けることができるようにした水栓取付構造に関する。
　訂正事項ｈ：明細書の段落【００４５】の【課題を解決するための手段】の記載を、次のように訂正する。
　請求項１の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする。
　請求項２の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする。
　請求項３の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ａが付されていることを特徴とする。
　請求項４の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ｂが付されていることを特徴とする。
　訂正事項ｉ：明細書の段落【００４７】の記載を、次のように訂正する。
　請求項１，２に係る本発明の台座部材は、前記第４〜９図及び第１０〜１５図の先願の台座部材のように、水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより台座部材が前後非対称形状となっており、該台座部材内は、該凸部同士を結ぶ線分よりも一方の側が他方の側よりも大きなスペースＳ１となっている。
　訂正事項ｊ：明細書の段落【０００５】の記載を、次のように訂正する。
　第１６〜１８図は、同号公報の構造を示す斜視図であり、カウンター６０に水栓取付孔６１（第１８図）が穿設され、その上側に環状の台座部材６３が配置されている。水栓取付孔６１の下側に馬蹄形部材６４が配置されている。この台座部材６３及び馬蹄形部材６４に開口６５，６６（第１７図）が設けられている。第１７図のように、開口６５，６６にボルト６７を通し、該ボルト６７の先端にナット６８を螺合させた後、第１８図のように馬蹄形部材６４を水栓取付孔６１に上方から通し、馬蹄形部材６４を水栓取付孔６１の下縁に対面させる。
　訂正事項ｋ：明細書の段落【０００８】の記載を、次のように訂正する。
　なお、馬蹄形部材６４の開口６６にスリット７１が設けられ、ナット６８には該スリット７１に係合する突起７２が設けられている。ボルト６７を回すときには、該ボルト６７を引き上げ、馬蹄形部材６４をカウンター６０の下面に当接させる。そして、ナット６８の突起７２をスリット７１に係合させ、しかる後ボルト６７を回し、ナット６８の共回りを防止しながらボルト６７の締め込みを行う。その後、回り止め部材７３を台座部材６３の中央孔７４内に差し込み、馬蹄形部材６４の回り止めを行いつつボルト６７を締め込む。
　訂正事項ｌ：明細書の段落【００２０】の記載を、次のように訂正する。
　この場合、カバーリング１１０の開口１１２と水栓ボディ８６の透口９６とを対面させておく。この状態にあっては、係合部材９２の頭部９２ａがカバーリング１１０で押え付けられ、脚部９２ｂが窓孔１００内に引込んでいる。即ち、ピン９２ｃが段部１０２に当接しているため、頭部９２ａが窓孔１００内に向ってカバーリング１１０によって外周側から押し込まれると、脚部９２ｂは第５図の如く窓孔１００内に引込む。
　訂正事項ｍ：明細書の段落【００２５】の記載を、次のように訂正する。
　なお、第５図の如く、ビス９０を雌ネジ孔９４にネジ込むときには、ドライバ等の工具を水栓の正面から操作でき、この際、工具の手許はシンク３内に配置されるため、工具を操作し易く、ネジ９０を簡単にしかも強く締め込むことができる。
　訂正事項ｎ：明細書の段落【００２９】の記載を、次のように訂正する。
　第１３図に示すように、素孔５ｂにボルト６を上方から通し、該ボルト６の先端に取付子７を螺着する。この際、舌片部７ａを台座部材５の中心を向かせる。この状態で取付子７を水栓取付孔４に上方から落し込み、台座部材５をカウンター１の上面に着座させる。しかる後、ボルト６をドライバで回す。そうすると、取付子７は第１４図の矢印θのように約半周だけボルト６と共回りした後、ストッパ７ｂが水栓取付孔４の内周面に当接し、それ以上の回転が阻止される。この状態では、舌片部７ａがカウンター１の下側に入り込んでいる。ボルト６をさらに回すと、取付子７は上方へ螺進し、舌片部７ａがカウンター１の下面に当たる。ボルト６を十分に締め込むことにより、台座部材５と取付子７とで水栓取付孔４の縁部が上下から強力に挟持され、台座部材５がカウンター１に堅固に固定される。
　訂正事項ｏ：明細書の段落【００３１】の記載を、次のように訂正する。
　この水栓１０は、台所用シングルレバー湯水混合水栓であり、給湯パイプ１１Ｈ及び給水パイプ（後述の第２図参照）が接続された水栓ボディ１２と、該水栓ボディの上側に配置されたミキシング機構１３と、該ミキシング機構１３を操作するためのハンドル１４と、ミキシング機構１３を囲むケースアッパー１５と、吐水管１６を一体に備えたケースミドル１７と、ケースアッパー１５に被さるケーストップ１８等よりなる。
　訂正事項ｐ：明細書の段落【００３２】の記載を、次のように訂正する。
　水栓ボディ１２は、台座部材５に外嵌する前記凹孔１９ａを有した筒状のボディロワー１９と、該ボディーロワー１９から立上るボディミドル２０と、該ボディミドル２０の上側のボディアッパー２１とを備えている。
　訂正事項ｑ：誤記の訂正を目的として第４図、第１０図、第１１図を訂正する。
　
３．訂正の適否
（１）訂正の目的の適否、新規事項の有無及び拡張・変更の存否
　上記訂正事項ａに係る訂正は、請求項の削除であって、特許請求の範囲の減縮を目的とするものであり、訂正事項ｂ、ｃに係る訂正は、独立形式で記載するとともに、特許請求の範囲の減縮を目的とするものであり、いずれも、願書に添付した明細書又は図面に記載した事項の範囲内のものであり、さらに、実質上特許請求の範囲を拡張し、又は変更するものではない。訂正事項ｄ、ｅに係る訂正は、独立形式で記載し直しただけで、実質的な訂正はない。
　また、訂正事項ｆ〜ｉに係る訂正は、訂正事項ａ〜ｅに関連してなされた明りょうでない記載の釈明に該当し、いずれも、願書に添付した明細書又は図面に記載した事項の範囲内のものであり、さらに、実質上特許請求の範囲を拡張し、又は変更するものではない。
　さらに、訂正事項ｊ〜ｑに係る訂正は、誤記の訂正に該当し、いずれも、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　
４．異議の申立てについての判断
（１）申立ての理由の概要
　申立人東陶機器株式会社は、証拠として甲第１号証（特開平８−９３０１２号公報）、甲第２号証（「ＴＯＴＯ　’９５−’９６　設計施工資料集」　平成７年７月３１日特許庁資料館受入　ｐ．６２０）、甲第３号証（「ＴＯＴＯ　’９５−’９６　設計施工資料集」　平成７年７月３１日特許庁資料館受入　ｐ．１０３）、甲第４号証（特開昭６３−３１２４３５号公報）、甲第５号証（実願平４−２５１１号（実開平５−６１２５５号）のＣＤ−ＲＯＭ）、甲第６号証（特開平５−２１４７４９号公報）、甲第７号証（特開平８−２１８４５８号公報）を提出して、本件請求項１ないし６に係る特許発明は、甲第１号証〜甲第７号証に記載された発明に基づいて、当業者が容易に発明をすることができたものであるから、特許法第２９条第２項の規定により、特許を受けることができないものであり、本件の特許を取り消すべきであると主張している。
（２）本件訂正後発明
　本件特許の請求項１ないし６に係る発明は、訂正が認められたので、訂正明細書の特許請求の範囲の請求項１および２に記載された事項により特定される以下のとおりのもの（以下、「訂正後発明１」、「訂正後発明２」という。）である。
【請求項１】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする水栓取付構造。
【請求項２】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする水栓取付構造。
（３）引用刊行物に記載の発明
　刊行物１（甲第１号証）には、第４頁第６欄第１１〜４４行、第５頁第８欄第５０行〜第６頁第９欄第１行および第１，２，７図の記載を参照すると、「流し台等のカウンターの取付け口に固定され水栓本体を上方から係合させて固定するための固定台座において、固定台座は、筒軸心方向をカウンターに対し略垂直に設置される筒状部材であるリムを有し、固定台座はカウンターに設置された状態において左右対称形状であり、リムによって包囲された部分であって固定台座の中心よりも前側又は後側に偏心した位置には、上下方向に貫通するボルトを通すための通し孔が設けられていてこれにより、該固定台座はカウンターに設置された状態において前後非対称形状となっており、ボルトを通すための通し孔の反対側には給水管及び給湯管等の供給管を差し込むための配管孔が設けられている固定台座をカウンターの取付け口に固定し、この水栓本体を上方から係合させて固定した水栓の固定構造であって、ボルトを通すための通し孔が固定台座の中心よりも後方に位置しており、それの反対側である前方の配管孔には給水管及び給湯管等の供給管が差し込まれている水栓の固定構造」が記載されている。
　刊行物２（甲第２号証）には、第６２０頁右欄３．混合栓取付けの項に、取付方向を示す表示ラベルが設けられているバス水栓の混合栓が記載されており、「取付方向表示ラベル面が浴槽側に向くように取付けてください。」と記載されている。
　刊行物３（甲第３号証）には、第１０３頁左欄３．便器への取付方法の項に、「前後と表示している方が表側です。前と表示している方を便器の先端側に向けます。」と記載されている。
　刊行物４（甲第４号証）には、特許請求の範囲（１），（２），（５）および第３〜５図の記載を参照すると、「流し台等の台の開口に固定されコック・ハウジングを上方から係合させて固定するための組付け台座（段付きスリーブ）であって、組付け台座（段付きスリーブ）は左右対称形状で、直径の区域に左右対称に内方へ突出する２つの向い合った肥厚部を有しており、この肥厚部には中心軸心と平行に突出する各１本の締付けねじのための穴が設けられていて、この肥厚部が組付け台座（段付きスリーブ）の中心よりも偏って位置することにより前後非対称形状となっており、組付け台座（段付きスリーブ）内には、該肥厚部同士を結ぶ線分よりも一方の側が他方の側よりも大きなスペースとなっている給水管等が挿通配置される孔を有している」ことが記載されている。　　
　刊行物５（甲第５号証）には、「流し台のカウンター等の取り付け基部の通孔に給水栓支持筒を固定し、この給水栓支持筒に給水栓本体を上方から係合させて固定した給水栓取付構造において、給水栓本体後方に係合凹部を設け、これと係合する係合凸部を給水栓支持筒の後方に設けて、給水栓本体を所定位置（所定方向）に取り付けることができるようにする」ことが記載されている。　　
　刊行物６（甲第６号証）には、「流し台の天板等の孔に取付部材を固定し、この取付部材にカランを上方から係合させて固定したカランの取付構造において、カランの前方に回り止め部を設け、これと係合する回り止め係合部を取付部材の前方に設ける」ことが記載されている。　　
　刊行物７（甲第７号証）には、段落【０００８】及び図１の記載を参照すると、「冷水温水混合装置において、冷水用と温水用の２本の接続管と混合水が導かれるねじ棒の貫通孔が後方に配置され、ホースが前方に配置されている」ことが記載されていると認められる。　
　刊行物８（取消理由通知書で提示した刊行物５：実願平４−１９３６０号（実開平５−７１２６５号）のＣＤ−ＲＯＭ）には、ハンドシャワー付き混合水栓における導管等の取付構造に関し、段落【００１１】および図１，３の記載を参照すると、「水栓本体の中心よりも後側に給水用導管、給湯用導管及び混合水用吐水導管の合計３本の導管が挿通配置され、これら３本の導管よりも前側に混合水用吐水導管に連なったシャワーホースが挿通配置されている」ことが記載されている。
　刊行物９（取消理由通知書で提示した刊行物６：実願昭５６−１２８４１２号（実開昭５８−３３５７２号）のマイクロフィルム）には、引出し自在に設けられたホースを介して給水装置本体の流出部に連絡する吐出部を備える給水装置に関し、第６頁第１〜１２行および第２，６図の記載を参照すると、「給水装置本体の中心よりも後側に水流入管、湯流入管及び混合水流出管の合計３本の管が挿通配置され、これら３本の管よりも前側に混合水流出管に連なったハンドスプレーのホースが挿通配置されている」ことが記載されている。
　刊行物１０（取消理由通知書で提示した刊行物７：特開平８−３０２７６８号公報）には、段落【００１６】および図１，２の記載を参照すると、「水栓本体の座部の中心よりも後方にボルトが位置しており、水栓本体の座部の中心よりも前側に給水管及び給湯管の合計２本の管が挿通配置されている水栓取付け構造」が記載されている。
（４）対比・判断　
　訂正後発明１と、刊行物１記載の発明とを比較すると、刊行物１記載の発明の「流し台等のカウンター」、「取付け口」、「水栓本体」、「固定台座」、「水栓の固定構造」は、それぞれ、訂正後発明１の「カウンター等の水栓設置板」、「水栓取付孔」、「水栓」、「（水栓取付用）台座部材」、「水栓取付構造」に相当し、訂正後発明１の「給水パイプ、給湯パイプ及び混合水往送パイプの合計３本のパイプ」は、（給水管及び給湯管等の）供給管であり、刊行物１記載の発明の「リムによって包囲された部分であって固定台座の中心よりも前側又は後側に偏心した位置には、上下方向に貫通するボルトを通すための通し孔が設けられていてこれにより、該固定台座はカウンターに設置された状態において前後非対称形状となっており」と、訂正後発明１の「台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており」とは、「台座部材の内周面からは凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており」で共通しているから、両者は、カウンター等の水栓設置板の水栓取付孔に固定される台座部材であって、この台座部材に水栓を上方から係合させて固定するための水栓取付用台座部材において、台座部材は、筒軸心方向を水栓設置板と略垂直して設置される筒状部材であり、台座部材は水栓設置板に設置された状態において左右対称形状であり、該台座部材の内周面からは凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、水栓取付用台座部材を水栓設置板の水栓取付孔に固定し、この台座部材に水栓を上方から係合させて固定した水栓取付構造であって、前記台座部材内に、供給管が挿通配置されている水栓取付構造の点で一致し、下記の点で相違している。
ａ．訂正後発明１では、台座部材に台座部材の前後の向きを示すマークが設けられているのに対し、刊行物１記載の発明では、そのような限定がない点。
ｂ．訂正後発明１では、ボルト挿通孔が設けられている凸部が左右対称に１対設けられていて、台座部材内は、該凸部同士を結ぶ線分よりも一方の側が他方の側よりも大きなスペースＳ１となっており、台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されているのに対し、刊行物１記載の発明では、凸部は左右対称に１対設けられておらず、固定台座内に、供給管が挿通配置されてはいるが、その他の限定構成を有していない点。
ｃ．訂正後発明１では、台座部材は、前後を反転させることにより、前記スペースＳ１内に給水パイプ及び給湯パイプの合計２本のパイプが挿通可能なものであるのに対し、刊行物１記載の発明では、そのような構成を有していない点。
　上記相違点ａについて検討すると、一般的に部材に前後の向きを示す表示・文字等の「マーク」を設けることにより、取り付けを容易に間違いなく行えるようにすることは、周知技術（例えば、上記刊行物５，６参照。）にすぎず、これを、刊行物１記載の発明に適用して、相違点ａにおける訂正後発明１のようにすることは、当業者が適宜なし得ることにすぎない。
　また、上記相違点ｂについて検討するため刊行物４をみると、刊行物４記載の発明の「流し台等の台」、「開口」、「コック・ハウジング」、「組付け台座（段付きスリーブ）」、「組付け台座（段付きスリーブ）の直径の区域に左右対称に内方へ突出する２つの向い合った肥厚部」、「中心軸心と平行に突出する各１本の締付けねじのための穴」は、それぞれ、訂正後発明１の「カウンター等の水栓設置板」、「水栓取付孔」、「水栓」、「（水栓取付用）台座部材」、「台座部材の内周面から左右対称に設けられた１対の凸部」、「上下方向に貫通するボルト挿通孔」に相当し、訂正後発明１の「給水パイプ、給湯パイプ及び混合水往送パイプの合計３本のパイプ」は、給水管等であるから、刊行物４には、訂正後発明１および刊行物１に記載された発明と同様の、カウンター等の水栓設置板の水栓取付孔に固定される台座部材であって、この台座部材に水栓を上方から係合させて固定するための水栓取付用台座部材において、ボルト挿通孔が設けられている凸部が左右対称に１対設けられていて、台座部材内は、該凸部同士を結ぶ線分よりも一方の側が他方の側よりも大きなスペースとなっており、該スペース内に給水管等が挿通配置されているものが記載されており、かつ、台座部材の中心よりも後側に給水パイプ、給湯パイプ及び混合水往送パイプの合計３本のパイプを挿通配置し、これら３本のパイプよりも前側に該混合水往送パイプに連なったシャワーホースを挿通配置することは、周知技術（刊行物８，９等参照）にすぎないから、刊行物１記載の発明にこれらの技術を採用して、相違点ｂにおける訂正後発明１のようにすることは、当業者が適宜なし得ることにすぎない。
　しかしながら、相違点ｃにおける訂正後発明１の、「台座部材は、前後を反転させることにより、前記スペースＳ１内に給水パイプ及び給湯パイプの合計２本のパイプが挿通可能なものである」という事項は、上記刊行物１ないし１０のいずれにも記載されておらず、かつ、自明な事項でもない。そして、訂正後発明１は、当該事項によって明細書記載の作用効果を奏するものである。
　したがって、訂正後発明１は、刊行物１ないし１０に記載された発明に基づいて、当業者が容易に発明をすることができたものであるとはいえない。
　訂正後発明２と、刊行物１記載の発明とを比較すると、刊行物１記載の発明の「流し台等のカウンター」、「取付け口」、「水栓本体」、「固定台座」、「水栓の固定構造」は、それぞれ、訂正後発明２の「カウンター等の水栓設置板」、「水栓取付孔」、「水栓」、「（水栓取付用）台座部材」、「水栓取付構造」に相当し、訂正後発明２の「給水パイプ及び給湯パイプの合計２本のパイプ」は、（給水管及び給湯管等の）供給管であり、刊行物１記載の発明の「リムによって包囲された部分であって固定台座の中心よりも前側又は後側に偏心した位置には、上下方向に貫通するボルトを通すための通し孔が設けられていてこれにより、該固定台座はカウンターに設置された状態において前後非対称形状となっており」と、訂正後発明２の「台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており」とは、「台座部材の内周面からは凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており」で共通しているから、両者は、カウンター等の水栓設置板の水栓取付孔に固定される台座部材であって、この台座部材に水栓を上方から係合させて固定するための水栓取付用台座部材において、台座部材は、筒軸心方向を水栓設置板と略垂直して設置される筒状部材であり、台座部材は水栓設置板に設置された状態において左右対称形状であり、該台座部材の内周面からは凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、水栓取付用台座部材を水栓設置板の水栓取付孔に固定し、この台座部材に水栓を上方から係合させて固定した水栓取付構造であって、前記台座部材内に、供給管が挿通配置されている水栓取付構造の点で一致し、下記の点で相違している。
ａ．訂正後発明２では、台座部材に台座部材の前後の向きを示すマークが設けられているのに対し、刊行物１記載の発明では、そのような限定がない点。
ｄ．訂正後発明２では、ボルト挿通孔が設けられている凸部が左右対称に１対設けられていて、台座部材内は、該凸部同士を結ぶ線分よりも一方の側が他方の側よりも大きなスペースＳ１となっており、台座部材は、前記１対の凸部が台座部材の中心よりも後方に位置しており、該１対の凸部よりも前側の前記スペースＳ１内に給水パイプ及び給湯パイプの合計２本のパイプが挿通配置されているのに対し、刊行物１記載の発明では、凸部は左右対称に１対設けられておらず、固定台座内に、給水管及び給湯管等の供給管が挿通配置されてはいるが、その他の限定構成を有していない点。
ｅ．訂正後発明２では、台座部材は、前後を反転させることにより、前記スペースＳ１内に給水パイプ、給湯パイプ及び混合水往送パイプの合計３本のパイプが挿通可能なものであるのに対し、刊行物１記載の発明では、そのような構成を有していない点。
　上記相違点ａについて検討すると、一般的に部材に前後の向きを示す表示・文字等の「マーク」を設けることにより、取り付けを容易に間違いなく行えるようにすることは、周知技術（例えば、上記刊行物５，６参照。）にすぎず、これを、刊行物１記載の発明に適用して、相違点ａにおける訂正後発明２のようにすることは、当業者が適宜なし得ることにすぎない。
　また、上記相違点ｄについて検討するため刊行物４をみると、刊行物４記載の発明の「流し台等の台」、「開口」、「コック・ハウジング」、「組付け台座（段付きスリーブ）」、「組付け台座（段付きスリーブ）の直径の区域に左右対称に内方へ突出する２つの向い合った肥厚部」、「中心軸心と平行に突出する各１本の締付けねじのための穴」は、それぞれ、訂正後発明２の「カウンター等の水栓設置板」、「水栓取付孔」、「水栓」、「（水栓取付用）台座部材」、「台座部材の内周面から左右対称に設けられた１対の凸部」、「上下方向に貫通するボルト挿通孔」に相当し、訂正後発明２の「給水パイプ、給湯パイプ及び混合水往送パイプの合計３本のパイプ」は、給水管等であるから、刊行物４には、訂正後発明２および刊行物１に記載された発明と同様の、カウンター等の水栓設置板の水栓取付孔に固定される台座部材であって、この台座部材に水栓を上方から係合させて固定するための水栓取付用台座部材において、ボルト挿通孔が設けられている凸部が左右対称に１対設けられていて、台座部材内は、該凸部同士を結ぶ線分よりも一方の側が他方の側よりも大きなスペースとなっており、該スペース内に給水管等が挿通配置されているものが記載されており、かつ、台座部材の中心よりも前側に給水パイプ及び給湯パイプの合計２本のパイプを挿通配置することは、周知技術（刊行物１０等参照）にすぎないから、刊行物１記載の発明にこれらの技術を採用して、相違点ｄにおける訂正後発明２のようにすることは、当業者が適宜なし得ることにすぎない。
　しかしながら、相違点ｅにおける訂正後発明２の、「台座部材は、前後を反転させることにより、前記スペースＳ１内に給水パイプ、給湯パイプ及び混合水往送パイプの合計３本のパイプが挿通可能なものである」という事項は、上記刊行物１ないし１０のいずれにも記載されておらず、かつ、自明な事項でもない。そして、訂正後発明２は、当該事項によって明細書記載の作用効果を奏するものである。
　したがって、訂正後発明２は、刊行物１ないし１０に記載された発明に基づいて、当業者が容易に発明をすることができたものであるとはいえない。
　
５．むすび
　以上のとおりであるから、異議申立ての理由及び証拠によっては、本件訂正後発明１および２の特許を取り消すことはできない。
　また、他に本件訂正後発明１および２の特許を取り消すべき理由を発見しない。
　よって、結論のとおり決定する。
【異議決定日】
平成１４年１０月７日（２００２．１０．７）
【訂正の要旨】
訂正の要旨
　特許第３１４７０５１号の明細書及び図面を、特許請求の範囲の減縮を目的として訂正事項ａ〜ｃのように、また、訂正事項ａ〜ｅに関連してなされた明りょうでない記載の釈明を目的として訂正事項ｆ〜ｉのように、さらに、誤記の訂正及び明りょうでない記載の釈明を目的として訂正事項ｊ〜ｑのように訂正する。訂正事項ｄ、ｅに係る訂正は、独立形式で記載し直しただけで、実質的な訂正はない。
　訂正事項ａ：特許請求の範囲の減縮を目的として、特許請求の範囲の請求項１、請求項２、請求項３、請求項４を削除する。
　訂正事項ｂ：特許請求の範囲の請求項５を、独立形式で記載するとともに、下記のように訂正する。
　【請求項１】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする水栓取付構造。
　訂正事項ｃ：特許請求の範囲の請求項６を、独立形式で記載するとともに、下記のように訂正する。
　【請求項２】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする水栓取付構造。
　訂正事項ｄ：特許請求の範囲の請求項７を、独立形式で記載するとともに、下記のように訂正する。
　【請求項３】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ａが付されていることを特徴とする水栓取付構造。
　訂正事項ｅ：特許請求の範囲の請求項８を、独立形式で記載するとともに、下記のように訂正する。
　【請求項４】　カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ｂが付されていることを特徴とする水栓取付構造。
　訂正事項ｆ：【発明の名称】を、「水栓取付構造」に訂正する。
　訂正事項ｇ：明細書の段落【０００１】の【発明の属する技術分野】の記載を、次のように訂正する。
　本発明はカウンター等の水栓設置板に水栓を取り付けた水栓取付構造に関する。詳しくは、本発明は、カウンターに固定した台座部材によって水栓をカウンターに上方からの作業で容易にしかも堅固に取り付けることができるようにした水栓取付構造に関する。
　訂正事項ｈ：明細書の段落【００４５】の【課題を解決するための手段】の記載を、次のように訂正する。
　請求項１の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする。
　請求項２の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする。
　請求項３の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ａが付されていることを特徴とする。
　請求項４の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直して設置される筒状部材であり、前記台座部材は水栓設置板に設置された状態において左右対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ｂが付されていることを特徴とする。
　訂正事項ｉ：明細書の段落【００４７】の記載を、次のように訂正する。
　請求項１，２に係る本発明の台座部材は、前記第４〜９図及び第１０〜１５図の先願の台座部材のように、水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより台座部材が前後非対称形状となっており、該台座部材内は、該凸部同士を結ぶ線分よりも一方の側が他方の側よりも大きなスペースＳ１となっている。
　訂正事項ｊ：明細書の段落【０００５】の記載を、次のように訂正する。
　第１６〜１８図は、同号公報の構造を示す斜視図であり、カウンター６０に水栓取付孔６１（第１８図）が穿設され、その上側に環状の台座部材６３が配置されている。水栓取付孔６１の下側に馬蹄形部材６４が配置されている。この台座部材６３及び馬蹄形部材６４に開口６５，６６（第１７図）が設けられている。第１７図のように、開口６５，６６にボルト６７を通し、該ボルト６７の先端にナット６８を螺合させた後、第１８図のように馬蹄形部材６４を水栓取付孔６１に上方から通し、馬蹄形部材６４を水栓取付孔６１の下縁に対面させる。
　訂正事項ｋ：明細書の段落【０００８】の記載を、次のように訂正する。
　なお、馬蹄形部材６４の開口６６にスリット７１が設けられ、ナット６８には該スリット７１に係合する突起７２が設けられている。ボルト６７を回すときには、該ボルト６７を引き上げ、馬蹄形部材６４をカウンター６０の下面に当接させる。そして、ナット６８の突起７２をスリット７１に係合させ、しかる後ボルト６７を回し、ナット６８の共回りを防止しながらボルト６７の締め込みを行う。その後、回り止め部材７３を台座部材６３の中央孔７４内に差し込み、馬蹄形部材６４の回り止めを行いつつボルト６７を締め込む。
　訂正事項ｌ：明細書の段落【００２０】の記載を、次のように訂正する。
　この場合、カバーリング１１０の開口１１２と水栓ボディ８６の透口９６とを対面させておく。この状態にあっては、係合部材９２の頭部９２ａがカバーリング１１０で押え付けられ、脚部９２ｂが窓孔１００内に引込んでいる。即ち、ピン９２ｃが段部１０２に当接しているため、頭部９２ａが窓孔１００内に向ってカバーリング１１０によって外周側から押し込まれると、脚部９２ｂは第５図の如く窓孔１００内に引込む。
　訂正事項ｍ：明細書の段落【００２５】の記載を、次のように訂正する。
　なお、第５図の如く、ビス９０を雌ネジ孔９４にネジ込むときには、ドライバ等の工具を水栓の正面から操作でき、この際、工具の手許はシンク３内に配置されるため、工具を操作し易く、ネジ９０を簡単にしかも強く締め込むことができる。
　訂正事項ｎ：明細書の段落【００２９】の記載を、次のように訂正する。
　第１３図に示すように、素孔５ｂにボルト６を上方から通し、該ボルト６の先端に取付子７を螺着する。この際、舌片部７ａを台座部材５の中心を向かせる。この状態で取付子７を水栓取付孔４に上方から落し込み、台座部材５をカウンター１の上面に着座させる。しかる後、ボルト６をドライバで回す。そうすると、取付子７は第１４図の矢印θのように約半周だけボルト６と共回りした後、ストッパ７ｂが水栓取付孔４の内周面に当接し、それ以上の回転が阻止される。この状態では、舌片部７ａがカウンター１の下側に入り込んでいる。ボルト６をさらに回すと、取付子７は上方へ螺進し、舌片部７ａがカウンター１の下面に当たる。ボルト６を十分に締め込むことにより、台座部材５と取付子７とで水栓取付孔４の縁部が上下から強力に挟持され、台座部材５がカウンター１に堅固に固定される。
　訂正事項ｏ：明細書の段落【００３１】の記載を、次のように訂正する。
　この水栓１０は、台所用シングルレバー湯水混合水栓であり、給湯パイプ１１Ｈ及び給水パイプ（後述の第２図参照）が接続された水栓ボディ１２と、該水栓ボディの上側に配置されたミキシング機構１３と、該ミキシング機構１３を操作するためのハンドル１４と、ミキシング機構１３を囲むケースアッパー１５と、吐水管１６を一体に備えたケースミドル１７と、ケースアッパー１５に被さるケーストップ１８等よりなる。
　訂正事項ｐ：明細書の段落【００３２】の記載を、次のように訂正する。
　水栓ボディ１２は、台座部材５に外嵌する前記凹孔１９ａを有した筒状のボディロワー１９と、該ボディーロワー１９から立上るボディミドル２０と、該ボディミドル２０の上側のボディアッパー２１とを備えている。
　訂正事項ｑ：誤記の訂正を目的として第４図、第１０図、第１１図を訂正する。
（５４）【発明の名称】
水
（５７）【特許請求の範囲】
　【請求項１】　
カウンター等の水栓設置板の水栓取付孔に固定される台座部材であって、この台座部材に水栓を上方から係合させて固定するための水栓取付用台座部材において、
　
前記台座部材は、筒軸心方向を水栓設置板と略垂直に設置される筒状部材であり、
　
前記台座部材は水栓設置板に設置された状態において左右対称形状であり、
　
該台座部材の内周面からは左右対称に１対の凸部が設けられ、該凸部に上下方向に貫通するボルト挿通孔が設けられており、
　
該凸部が台座部材の中心よりも前側又は後側に偏って位置することにより、該台座部材は水栓設置板に設置された状態において前後非対称形状となっており、
　
該台座部材内は、該凸部同士を結ぶ線分よりも一方の側が他方の側よりも大きなスペースＳ１となっており、
　
該台座部材に台座部材の前後の向きを示すマークが設けられている水栓取付用
　前記台座部材は、前記１対の凸部が台座部材の中心よりも前方に位置しており、
　該１対の凸部よりも後側の
前記スペースＳ１
　これら３本のパイプよりも前側に該混合水往送パイプに連なったシャワーホースが挿通配置されて
おり、
　
該台座部材は、前後を反転させることにより、前記スペースＳ１内に給水パイプ及び給湯パイプの合計２本のパイプが挿通可能なものである
　【請求項２】　
カウンター等の水栓設置板の水栓取付孔に固定される台座部材であって、この台座部材に水栓を上方から係合させて固定するための水栓取付用台座部材において、
　
前記台座部材は、筒軸心方向を水栓設置板と略垂直に設置される筒状部材であり、
　
前記台座部材は水栓設置板に設置された状態において左右対称形状であり、
　
該台座部材の内周面からは左右対称に１対の凸部が設けられ、該凸部に上下方向に貫通するボルト挿通孔が設けられており、
　
該凸部が台座部材の中心よりも前側又は後側に偏って位置することにより、該台座部材は水栓設置板に設置された状態において前後非対称形状となっており、
　
該台座部材内は、該凸部同士を結ぶ線分よりも一方の側が他方の側よりも大きなスペースＳ１となっており、
　
該台座部材に台座部材の前後の向きを示すマークが設けられている水栓取付用
　前記台座部材は、前記１対の凸部が台座部材の中心よりも後方に位置しており、
　該１対の凸部よりも前側の
前記スペースＳ１
おり、
　
該台座部材は、前後を反転させることにより、前記スペースＳ１内に給水パイプ、給湯パイプ及び混合水往送パイプの合計３本のパイプが挿通可能なものである
　【請求項３】　
カウンター等の水栓設置板の水栓取付孔に固定される台座部材であって、この台座部材に水栓を上方から係合させて固定するための水栓取付用台座部材において、
　
前記台座部材は、筒軸心方向を水栓設置板と略垂直に設置される筒状部材であり、
　
該台座部材は水栓設置板に設置された状態において前後非対称形状であり、
　
該台座部材に台座部材の前後の向きを示すマークが着色により設けられている水栓取付用
　該台座部材の前側に色Ａが付され、後側には該色Ａと異なる色Ｂが付されており、
　前記水栓の下部の外面の一部には色Ａが付されていることを特徴とする水栓取付構造。
　【請求項４】　
カウンター等の水栓設置板の水栓取付孔に固定される台座部材であって、この台座部材に水栓を上方から係合させて固定するための水栓取付用台座部材において、
　
前記台座部材は、筒軸心方向を水栓設置板と略垂直に設置される筒状部材であり、
　
該台座部材は水栓設置板に設置された状態において前後非対称形状であり、
　
該台座部材に台座部材の前後の向きを示すマークが着色により設けられている水栓取付用
　該台座部材の前側に色Ａが付され、後側には該色Ａと異なる色Ｂが付されており、
　前記水栓の下部の外面の一部には色Ｂが付されていることを特徴とする水栓取付構造。
【発明の詳細な説明】
　【０００１】
　【発明の属する技術分野】
　本発明はカウンター等の水栓設置板に水栓を取り付けた水栓取付構造に関する。詳しくは、本発明は、カウンターに固定した台座部材によって水栓をカウンターに上方からの作業で容易にしかも堅固に取り付けることができるようにした水栓取付構
造に
　【０００２】
　【従来の技術】
　水栓をカウンターや洗面器フランジ部などの水栓取付孔に取り付ける場合、水栓はシンクや洗面器の後側に配置されるため、水栓の固定作業（例えばナット締め）をシンクや洗面器の後側の部分で行うことになり、固定作業姿勢が苦しく、作業性が悪い。また、シンクや洗面器をかわしながらナット締めするための特殊なクランク状の専用工具が必要になる。
　【０００３】
　そこで、カウンターや洗面器フランジ部等の水栓設置板の水栓取付孔に対し上方からの作業だけで水栓を固定できるようにする構造が種々提案されている。
　【０００４】
　その一つとして、カウンター等の上側に環状の台座部材を配置し、カウンター等の下側に取付子を配置し、台座部材の素孔に上方からボルトを通し、このボルトを取付子の雌ネジ孔に締め込んで台座部材を固定し、この台座部材に対し水栓を固定した構造が公知である（特開平８−９３０１２号公報）。
　【０００５】
　第１６〜１８図は、同号公報の構造を示す斜視図であり、カウンター６０に水栓取付孔６１（第１８図）が穿設され、その上側に環状の台座部材６３が配置されている。水栓取付孔６１の下側に馬蹄形部材６４が配置されている。この台座部材６３及び馬蹄形部材６４に開口６５，６６（第１７図）が設けられている。第１
７
８
　【０００６】
　その後、ボルト６７を締め込み、馬蹄形部材６４と台座部材６３とで水栓取付孔６１の縁部を挟持し、台座部材６３を固定する。
　【０００７】
　この台座部材６３の外周面に雄ネジが設けられており、この台座部材６３に対し水栓６９をユニオンナット状の締結ナット７０によって固定する。
　【０００８】
　なお、馬蹄形部材６４の開口６
６
　【０００９】
　上記従来の水栓取付構造においては、締結ナット７０によって水栓６９を台座部材６３に固定しているが、ナット７０が目立ち、美感に劣るだけでなく、該ナット７０を緩める悪戯を受け易いという問題があった。
　【００１０】
　そこで、本出願人は、特願平９−１３３５８３号において、第４〜９図の通り、水栓の下端を台座部材に嵌合させ、ビスで水栓を台座部材に固定する水栓取付構造を提案した。
　【００１１】
　第４、５図の（ａ）図は同号の発明の実施の形態に係る水栓設置構造を示す縦断面図、（ｂ）図は（ａ）図のＢ−Ｂ線に沿う断面図、第６図及び第７図は第４、５図のＶＩ−ＶＩ線及びＶＩＩ−ＶＩＩ線に沿う断面図である。第８、９図はこの構造を説明する分解斜視図である。
　【００１２】
　カウンター１のバックガード２とシンク３との間に水栓取付孔４が設けられ、この水栓取付孔４に台座部材８０が馬蹄形座金８２とボルト８４とによって固定されている。
　【００１３】
　なお、台座部材８０の内周面からは２個の凸部８３が突設され、この凸部８３に設けられたボルト挿通孔８３Ｈにボルト８４が挿通されている。
　【００１４】
　また、台座部材８０の内周面からは合計４個の小突起８５が突設されている。これらの小突起８５は下方に突設され、水栓取付孔４の内周面に当接する。
　【００１５】
　水栓ボディ８６の底面の凹部８８が該台座部材８０に嵌合し、ビス９０及び係合部材９２によって両者が連結されている。
　【００１６】
　台座部材８０のカウンター１の正面を指向する部分に雌ネジ孔９４が設けられており、水栓ボディ８６の透口９６及び後述するカバーリング１１０の開口１１２を通してビス９０が該雌ネジ孔９４にネジ込まれている。
　【００１７】
　係合部材９２は、水栓ボディ８６の下部に設けれた窓孔１００に保持されている。この窓孔１００は、第８図及び第９図の通り、係合部材９２のピン９２ｃが当接する段部１０２と、係合部材９２の頭部９２ａが嵌合する凹部１０４とを備えている。係合部材９２は、円板形の頭部９２ａから１対の脚部９２ｂが突設され、この脚部９２ｂの上下両面から突設された４本のピン９２ｃとを備えている。
　【００１８】
　この脚部９２ｂは弾性を有しており、外力が加えられないときには窓孔１００を通って水栓ボディ８６の内周面から突出する。台座部材８０の外周面には、この脚部９２ｂが入り込む凹部１０６が設けられている。水栓ボディ８６の下部外周を取り巻くようにカバーリング１１０が外嵌している。このカバーリング１１０には開口１１２が設けられている。
　【００１９】
　水栓ボディ８６をカウンター１に固定取付するには、まず台座部材８０をカウンター１に対し座金８２とボルト８４とによって固定しておき、この台座部材８０に対し水栓ボディ８６の凹部８８を外嵌させる。なお、この水栓ボディ８６の窓孔１００に予め係合部材９２を嵌合させると共に、この水栓ボディ８６にカバーリング１１０を外嵌させておく。
　【００２０】
　この場合、カバーリング１１０の開口１１２と水栓ボディ８６の透口９６とを対面させておく。この状態にあっては、係合部材９２の頭部９２ａがカバーリング１１０で押え付けられ、脚部９２ｂが窓孔１００内に引込んでいる。即ち、ピン９２ｃが段部１０２に当接しているため、頭部９２ａが窓孔１００内に向ってカバーリング１１０によって外周側から押し込まれると、脚部９２ｂは第
５
　【００２１】
　このように脚部９２ｂが窓孔１００内に引込んだ状態としておいて水栓ボディ８６を台座部材８０に嵌合させる（第５，７図）。次に、ドライバＤによってビス９０を開口１１２、透口９６を通して雌ネジ孔９４にねじ込む。
　【００２２】
　次いで、カバーリング１１０を水栓周方向に１８０°回す。そうすると、開口１１２と係合部材９２の頭部９２ａとが対面し、該頭部９２ａが開口１１２に入り込む。そして、第４，６図の如く、脚部９２ｂが水栓ボディ８６の内周面から突出し、凹部１０６に入り込む。これにより、水栓ボディー８６がカウンター１に堅固に固定される。
　【００２３】
　この水栓取付構造においては、水栓ボディ８６は、正面側のネジ９０と後面側の係合部材９２とによって台座部材８０に堅固に固定されるものであるから、レバーハンドルを操作しても水栓ボディ８６にガタツキは全く生じない。
　【００２４】
　このネジ９０の頭はカバーリング１１０で覆われるため、シンク３の使用者には視覚されず、見栄えが損なわれることも全くない。このカバーリング１１０は、係止部材９２の頭部９２ａによって回り止めされる。従って、悪戯によりカバーリング１１０が回されることも防止される。
　【００２５】
　なお、第５図の如く、ビス９０を雌ネジ孔９４にネジ込むときには、ドライバ等の工具を水
栓の
　【００２６】
　第１０〜１５図は、本願出願人から特願平９−１１１７８号にて出願されている台座部材とそれを用いた水栓取付構造の説明図であり、第１０図は同号の実施の形態に係る水栓の設置構造を示す断面図、第１１図は同分解図、第１２図は取付子の斜視図、第１３図は台座部材の取付方法を示す分解図、第１４図は台座部材の取付状態を示す平面図、第１５図は第１４図のＸＶ−ＸＶ線に沿う断面図である。
　【００２７】
　水栓設置板としてのカウンター１のバックガード２とシンク３との間に水栓取付孔４が設けられ、この水栓取付孔４に台座部材５がボルト６及び取付子７によって固定されている。台座部材５は環状であり、内周面の２箇所から凸部５ａが突設され、この凸部５ａにボルト６の挿通用の素孔（ボルト挿通孔）５ｂが貫設されている。
　【００２８】
　取付子７は第１２図に示す通り、カウンター１の下面に当接する舌片部７ａと、水栓取付孔４の内周面に当接する略四角ブロック状のストッパ７ｂと、雌ネジ孔７ｃとを備えている。
　【００２９】
　第１３図に示すように、素孔５ｂにボルト６を上方から通し、該ボルト６の先端に取付子７を螺着する。この際、舌片部７ａを台座部材５の中心を向かせる。この状態で取付子７を水栓取付孔４に上方から落し込み、台座部材５をカウンター１の上面に着座させる。しかる後、ボルト６をドライバで回す。そうすると、取付子７は第
１４
　【００３０】
　その後、この台座部材５に水栓１０を取り付ける。水栓１０の底面には凹穴１９ａが設けられており、この凹穴１９ａを台座部材５に嵌合させる。次いで、水栓１０の後面の孔８にビス９を通し、このビス９を台座部材５のビス孔９ａにネジ込むことにより、水栓１０が台座部材５に固定される。
　【００３１】
　この水栓１０は、台所用シングルレバー湯水混合水栓であり、給湯パイプ１１Ｈ及び給水パイプ（後述の第２図参照）が接続された水栓ボディ１２と、該水栓ボディの上側に配置されたミキシング機構１３と、該ミキシング機構１３を操作するためのハンドル１４と、ミキシング機構１３を囲むケースアッパー１５と、吐水管１６を一体に備えたケースミドル１７と、ケースアッパー１５に被さるケー
スト
　【００３２】
　水栓ボディ１２は、
台座部材
凹穴
　【００３３】
　前記給湯パイプ１１Ｈ及び給水パイプ１１Ｌに連なる給湯孔２２及び給水孔（図示略）がボディミドル２０からボディアッパー２１を貫通し、ミキシング機構１３の固定弁体２３の給湯ポート及び給水ポートに連通している。ハンドル１４を上下左右に回動させることにより、この給湯ポート及び給水ポートと混合水流出ポートとの連通状態が可動弁体２４によって切り替えられることにより、ボディアッパー２１に設けられた混合水路２５への流出水（混合水）の水温及び水量が調節される。混合水は、ケースミドル１７内の混合水室２６を経て吐水管１６の先端から吐出される。
　【００３４】
　前記の通り、水栓１０をカウンター１に固定するには、台座部材５をカウンター１にボルト６及び取付子７によって固定し、この台座部材５に水栓１０を固定する。この台座部材５の取付に際しては、取付子７を水栓取付孔４に上方から落し込み、次いでボルト６を上方から回すだけで良い。しかも、ボルト６は単に回すだけで良く、上方に引き上げたりする動作は一切不要である。
　【００３５】
　ところで、上記の水栓が第１０〜１５図のように非洗髪式の通常型湯水混合水栓の場合、第２図に示すように、水栓ボディ１２の凹穴１９ａの天井面部分からは給水パイプ１１Ｌと給湯パイプ１１Ｈとが下方に延設されている。
　【００３６】
　また、水栓が第３図のように洗髪式水栓１０’の場合は、第３図のように、天井面部分からはさらに混合水の往送パイプ１１Ｍが下方に延設されている。そして、この混合水往送パイプの先端にホース１１ｈが接続され、このホース１１ｈは台座部材を通って水栓ボディ内に引き込まれ、さらに吐水管１６’を通って該吐水管１６’の先端に着脱可能に装着された洗髪吐水ヘッド１６ｈに接続されている。
　【００３７】
　【発明が解決しようとする課題】
　この種の水栓の上方からの取付施工用の台座部材は、水栓ボディとほぼ等しい比較的外径の小さいものであり、内径はさらにそれよりも小さい。
　【００３８】
　このような小内径の台座部材の内周面から凸部が突設されているため、台座部材５、８０の内側のパイプ等の挿通用のスペースはかなり小さい。
　【００３９】
　しかも、第２図のように、非洗髪式水栓の場合、給水パイプ１１Ｌと給湯パイプ１１Ｈは水栓の前側に配置されるのに対し、第３図に示す洗髪式の水栓１０’の場合、ホース１１ｈが水栓の前側に配置される関係上、給水パイプ１１Ｌ、給湯パイプ１１Ｈ及び混合水往送パイプ１１Ｍが水栓の後側に配置される。従って、非洗髪式の水栓を設置する場合と、洗髪式水栓を設置する場合とでは、台座部材５の前後の向きを逆にする必要がある。なお、台座部材８０の場合も同様である。
　【００４０】
　即ち、非洗髪式水栓の場合は、第２図（ｂ）のように、凸部５ａを水栓の後側に位置させ、台座部材内の前側に比較的大きなスペースＳ１を形成し、このスペースＳ１に給水パイプ１１Ｌと給湯パイプ１１Ｈとを引き通す。なお、凸部５ａよりも後側の小さなスペースＳ２には合計２本のパイプ１１Ｌ，１１Ｈを引き通すことはできない。
　【００４１】
　一方、洗髪式水栓の場合、給水パイプ１１Ｌ、給湯パイプ１１Ｈ及び混合水往送パイプ１１Ｍの合計３本のパイプが引き通されるため、台座部材は第３図（ｂ）の如く凸部５ａを前側にし、スペースＳ１を後側にする必要がある。
　【００４２】
　このように、上方から水栓を取付施工するための台座部材５、８０においては、水栓の機種に応じて台座部材の前後向きを正しく認識してその通りに台座部材の取付施工を行う必要がある。
　【００４３】
　ところが、この台座部材５、８０の取付施工は、建築現場で水道施工業者が行う場合が殆どであり、この種の台座部材を用いた施工方式には不慣れなことが多い。そのため、台座部材の前後を正しく認識することができず、前後逆に台座部材をカウンター等に取り付け易い。このような場合には、いざ水栓を台座部材に固定しようとすると、パイプを台座部材に通すことができず、台座部材を取り外して向きを変え、もう一回台座部材を固定し直さなければならず、台座部材の取付作業が２重手間となってしまう。
　【００４４】
　本発明は、このような台座部材の前後向きの誤りを確実に無くすことができ、台座部材の取付作業性を著しく高めることを目的とする。
　【００４５】
　【課題を解決するための手段】
　
請求項１の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直に設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも前方に位置しており、該１対の凸部よりも後側の前記スペースＳ１内に給水パイプ、給湯パイプ及び混合水往送パイプの合計３本のパイプが挿通配置され、これら３本のパイプよりも前側に該混合水往送パイプに連なったシャワーホースが挿通配置されており、該台座部材は、前後を反転させることにより、前記スペースＳ１内に給水パイプ及び給湯パイプの合計２本のパイプが挿通可能なものであることを特徴とする。
　
請求項２の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直に設置される筒状部材であり、前記台座部材は水栓設置板に設置された状態において左右対称形状であり、該台座部材の内周面からは左右対称に１対の凸部が設けられ、該凸部に上下方向に貫通するボルト挿通孔が設けられており、該凸部が台座部材の中心よりも前側又は後側に偏って位置することにより、該台座部材は水栓設置板に設置された状態において前後非対称形状となっており、該台座部材内は、該凸部同士を結ぶ線分よりも一方の側が他方の側よりも大きなスペースＳ１となっており、該台座部材に台座部材の前後の向きを示すマークが設けられている水栓取付用台座部材を水栓設置板の水栓取付孔に固定し、この台座部材に水栓を上方から係合させて固定した水栓取付構造であって、前記台座部材は、前記１対の凸部が台座部材の中心よりも後方に位置しており、該１対の凸部よりも前側の前記スペースＳ１内に給水パイプ及び給湯パイプの合計２本のパイプが挿通配置されており、該台座部材は、前後を反転させることにより、前記スペースＳ１内に給水パイプ、給湯パイプ及び混合水往送パイプの合計３本のパイプが挿通可能なものであることを特徴とする。
　
請求項３の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直に設置される筒状部材であり、該台座部材は水栓設置板に設置された状態において前後非対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ａが付されていることを特徴とする。
　
請求項４の水栓取付構造は、カウンター等の水栓設置板の水栓取付孔に固定される台座部材であって、この台座部材に水栓を上方から係合させて固定するための水栓取付用台座部材において、前記台座部材は、筒軸心方向を水栓設置板と略垂直に設置される筒状部材であり、該台座部材は水栓設置板に設置された状態において前後非対称形状であり、該台座部材に台座部材の前後の向きを示すマークが着色により設けられている水栓取付用台座部材を水栓設置板の水栓取付孔に固定し、この台座部材に水栓を上方から係合させて固定した水栓取付構造であって、該台座部材の前側に色Ａが付され、後側には該色Ａと異なる色Ｂが付されており、前記水栓の下部の外面の一部には色Ｂが付されていることを特徴とする。
　【００４６】
　このように台座部材にマークを設けることにより、台座部材の前後を認識し易くなる。このマークとしては着色により形成されたものが識別が容易であり、好ましい。
　【００４７】
　
請求項１，２に係る
おり、該台座部材内は、該凸部同士を結ぶ線分よりも一方の側が他方の側よりも大きなスペースＳ１となっている。
　【００４８】
　本発明の水栓取付構造は、かかる台座部材を用いて水栓をカウンター等の上方から取付施工したものである。
　【００４９】
　この場合、水栓に台座部材の取付の前後を示す表示を設けておくことにより、この水栓を取り付けようとする作業者がこの表示に従って台座部材の向きを適切に選ぶことができる。
　【００５０】
　例えば、台座部材の前側に色Ａ（例えば青）を付し、後側に色Ｂ（例えば黒）を付しておいた場合、水栓に色Ａを付してあるときには台座部材の色Ａの側を前にして台座部材を取り付けるようにすることができ、水栓に色Ｂを付してあるときには台座部材の色Ｂの側を前にして台座部材を取り付けるなどの対処をとることができる。これにより、第２図のように給水パイプと給湯パイプの２本だけパイプが突設された水栓の場合と、第３図のようにさらに混合水往送パイプとホースとが設けられた水栓の場合とにおいて、台座部材として共通のものを採用し、しかも台座部材の向きを一目で正しく選択することが可能となる。
　【００５１】
　【発明の実施の形態】
　第１図（ａ），（ｂ）は実施の形態に係る台座部材の斜視図である。なお、第１図（ｂ）は第１図（ａ）と反対側から見た斜視図である。
　【００５２】
　この実施の形態の台座部材８０’は前記第４〜９図の台座部材８０に対し雌ネジ孔９４と直径方向の反対側にもう１個の雌ネジ孔９５を設けると共に、１対の凹部１０６を各雌ネジ孔９４、９５を挟んで合計２対設けたものである。なお、この台座部材８０’は雌ネジ孔９４、９５を結ぶ線分を挟んで線対称の平面視形状となっている。前記台座部材８０と同様に、台座部材８０’の内周面から２個の凸部８３が突設され、素孔状のボルト挿通孔８３Ｈが筒状の台座部材８０’の筒軸心と平行方向に貫設されている。この凸部８３は、台座部材８０’の中心よりも雌ネジ孔９５に近い側に位置している。従って、凸部８３、８３同士を結ぶ線分よりも雌ネジ孔９４側が大きなスペースＳ１となっており、雌ネジ孔９５側が小さなスペースＳ２となっている。
　【００５３】
　この台座部材８０’にあっては、雌ネジ孔９４の上方の上端面に青色のマークＡが付され、雌ネジ孔９５の上方の上端面に黒色のマークＢが付されている。
　【００５４】
　そして水栓の下部（例えば第８図においてカバーリング１１０の外周面）に青又は黒のマークを付しておく。
　【００５５】
　このように構成された台座部材８０’のその他の構成は前記台座部材８０と同様である。
　【００５６】
　この台座部材８０’を用いると、第２図に示す２パイプタイプの水栓及び第３図に示す３パイプ１ホースタイプの水栓のいずれをもカウンター等に取付施工することができるが、この際水栓に付された色と同色の色がカウンターの前側となるように台座部材８０’をカウンターに取り付けるように組立説明書や部品収納用段ボール等に記載しておく。そうすると、不慣れな作業者であっても、全くまごつくことなく台座部材８０’の向きを正しくして台座部材８０’をカウンターに取り付けることができる。
　【００５７】
　例えば、水栓の下部側面に青いマークが付されているときには、台座部材８０’の青マークＡが前側となるように台座部材８０’をカウンターに取り付ける。なお、この色は青や黒に限定されるものではなく、赤、黄、緑等としても良い。また、水栓に付された色の側がカウンターの後側となるように決めておいても良い。
　【００５８】
　このマークはインク、ペイント等によって付すのが好ましいが、着色手法は任意である。
　【００５９】
　このマークは色以外の識別可能なものでも良いが、色を付すのが簡単明瞭であり、好ましい。
　【００６０】
　【発明の効果】
　以上の通り、本発明の水栓取付構造によると、水栓を上方からカウンター等の水栓設置板に容易にしかも堅固に取り付けることができる。この場合、水栓の種類に対応して台座部材の前後の向きを容易に認識することができ、施工効率が向上する。
【図面の簡単な説明】
　【図１】
　実施の形態を示す台座部材の斜視図である。
　【図２】
　水栓の設置状態を示す斜視図と断面図である。
　【図３】
　水栓の設置状態を示す斜視図と断面図である。
　【図４】
　先願発明の実施の形態を示す断面図である。
　【図５】
　図４の形態を示す組付途中の断面図である。
　【図６】
　図４のＶＩ−ＶＩ線に沿う断面図である。
　【図７】
　図５のＶＩＩ−ＶＩＩ線に沿う断面図である。
　【図８】
　図４の固定構造を示す分解斜視図である。
　【図９】
　図４の固定構造を示す分解斜視図である。
　【図１０】
　異なる先願発明の実施の形態を示す断面図である。
　【図１１】
　図１０の構成を示す分解説明図である。
　【図１２】
　図１０の構成を説明する斜視図である。
　【図１３】
　図１０の構成を説明する分解図である。
　【図１４】
　図１０の構成を説明する平面図である。
　【図１５】
　図１０の構成を説明する断面図である。
　【図１６】
　従来例を示す分解斜視図である。
　【図１７】
　従来例を示す分解斜視図である。
　【図１８】
　従来例を示す断面図である。
　【符号の説明】
　１　カウンター
　２　バックガード
　３　シンク
　４　水栓取付孔
　５　台座部材
　９　ネジ
　１０　水栓
　１１Ｌ　給水パイプ
　１１Ｈ　給湯パイプ
　１１Ｍ　混合水往送パイプ
　１１ｈ　ホース
　１６，１６’　吐水管
　１６ｈ　吐水ヘッド
　８０，８０’　台座部材
　８３　凸部
　８３Ｈ　ボルト挿通孔
　８６　水栓ボディ
　９２　係合部材
　１００　窓孔
　１１０　カバーリング
【図面】